(57)【要約】【課題】ロック機構の構造が簡単で、部品点数の少ない伸縮式足場板を提供する。【解決手段】夫々複数の足場板部材からなる一対の足場板本体を足場板長さ方向に相対移動自在に連結し、両足場板本体の対向する２つの足場板部材４，６間に両足場板本体の相対移動を阻止するロック機構Ｒを設けてなる伸縮式足場板において、ロック機構Ｒは、足場板部材４，６の一方の足場板部材６に係合用凹部を一定ピッチで設け、他方の足場板部材４には、係合突片３３が係合用凹部に係合したロック位置とそれから離脱したロック解除位置との間を進退するロック片３０と、連動アーム片３２を介しロック片３０に連動連結し、枢軸３５周りに正逆回動することにより、ロック片３０をロック位置とロック解除位置とに進退移動させる回動操作片３１と、回動操作片３１をロック片３０のロック位置及びロック解除位置に夫々一時的に保持するストッパー３４とを設ける。【選択図】図５
2007247263.tif 000002
【特許請求の範囲】
【請求項１】
夫々複数の足場板部材からなる一対の足場板本体を足場板長さ方向に相対移動自在に連結し、両足場板本体の対向する２本の足場板部材間に両足場板本体の相対移動を阻止するロック機構を介装した伸縮式足場板において、
ロック機構は、両足場板本体の対向する２本の足場板部材の一方に、係合用凹部を足場板長さ方向に一定ピッチで設け、他方の足場板部材には、先端部の係合突片が係合用凹部に係合したロック位置とその凹部から離脱したロック解除位置との間を進退移動するロック片と、連動アームを介しロック片に連動連結して、枢軸周りに正逆回動することにより、ロック片をロック位置とロック解除位置とに進退移動させる回動操作片と、回動操作片をロック片のロック位置及びロック解除位置に夫々一時的に保持するストッパーとを設けてなる伸縮式足場板。
【請求項２】
ロック機構のロック片、回動操作片及びストッパーは、前記他方の足場板部材の所要個所に装着されるロックボックスに取り付けてなる請求項１に記載の伸縮式足場板。
【請求項３】
ロック機構のストッパーは、回動操作片にその枢軸から一定半径位置に設けられた圧縮バネ及びこのバネの先端部に取り付けられてロックボックスの側壁面に押し付けられる球体と、ロックボックスの側壁面の、前記ロック位置及びロック解除位置に対応する位置に夫々設けられて、球体が係脱自在な凹窪部とからなる請求項１又は２に記載の伸縮式足場板。
【請求項４】
ロック機構が介装される両足場板部材の一方に設けられる係合用凹部は、この一方の足場板部材にその長さ方向に一定ピッチで形成した孔部からなる請求項１〜３の何れかに記載の伸縮式足場板。
【請求項５】
ロック機構の回動操作片は後端部に押動操作部を有し、この押動操作部の一端部を押動することにより、回動操作片が正方向に回動してロック片をロック位置に前進させ、押動操作部の他端部を押動することにより、回動操作片が逆方向に回動して、連動アーム片を介してロック片をロック解除位置に後退させるようになっている請求項１〜４の何れかに記載の伸縮式足場板。
【発明の詳細な説明】
【技術分野】
【０００１】
本発明は、建築現場その他の作業場所での足場に使用される伸縮式足場板に関するもので、特に、夫々複数の足場板部材からなる一対の足場板本体を足場板長さ方向に相対移動自在に連結してなる伸縮式足場板であって、両足場板本体の対向する２つの足場板部材間に両足場板本体の相対移動を阻止するロック機構を介装した伸縮式足場板に関する。
【背景技術】
【０００２】
従来の伸縮式足場板として、例えば下記特許文献１に記載されたものが知られている。しかしながら、この伸縮式足場板におけるロック機構は、構造が複雑で部品点数が多く、製作コストが高くつく上に、故障が多いという問題点があった。
【特許文献１】特開２００４−４４２９５号公報
【発明の開示】
【発明が解決しようとする課題】
【０００３】
本発明は、上記従来の問題点に鑑み、ロック機構の構造が簡単で、部品点数も少なく、製作コストが安くつく上に、故障が少なく、使用寿命を延ばすことができる伸縮式足場板を提供することを目的とする。
【課題を解決するための手段】
【０００４】
上記課題を解決するための手段を、後述する実施形態の参照符号を付して説明すると、請求項１に係る発明は、夫々複数の足場板部材４，５，６，７，８からなる一対の足場板本体２，３を足場板長さ方向に相対移動自在に連結し、両足場板本体２，３の対向する２つの足場板部材４，６間に両足場板本体２，３の相対移動を阻止するロック機構Ｒを介装してなる伸縮式足場板において、
ロック機構Ｒは、両足場板本体２，３の対向する２つの足場板部材４，６の一方（足場板部材６）に、係合用凹部を足場板長さ方向に一定ピッチで設け、他方の足場板部材４には、先端部の係合突片３３が係合用凹部に係合したロック位置とその凹部から離脱したロック解除位置との間を進退移動するロック片３０と、連動アーム片３２を介しロック片３０に連動連結して、枢軸３５周りに正逆回動することにより、ロック片３０をロック位置とロック解除位置とに進退移動させる回動操作片３１と、回動操作片３１をロック片３０のロック位置及びロック解除位置に夫々一時的に保持するストッパー３４とを設けてなることを特徴とする。
【０００５】
請求項２は、請求項１に記載の伸縮式足場板において、ロック機構Ｒのロック片３０、回動操作片３１、連動アーム片３２及びストッパー３４は、前記他方の足場板部材４の所要個所に装着されるロックボックス２９に取り付けてなることを特徴とする。
【０００６】
請求項３は、請求項１又は２に記載の伸縮式足場板において、ロック機構Ｒのストッパー３４は、回動操作片３１にその枢軸３５から一定半径位置に設けられた圧縮バネ３８及びこのバネ３８の先端部に取り付けられてロックボックス２９の側壁面２９ａに押し付けられる球体４０と、ロックボックス２９の側壁面２９ａの、前記ロック位置及びロック解除位置に対応する位置に夫々設けられて、球体４０が係脱自在な凹窪部４１，４２とからなることを特徴とする。
【０００７】
請求項４は、請求項１〜３の何れかに記載の伸縮式足場板において、ロック機構Ｒが介装される両足場板部材４，６の一方に設けられる係合用凹部は、この一方の足場板部材６にその長さ方向に一定ピッチで形成した孔部ａからなることを特徴とする。
【０００８】
請求項５は、請求項１〜４の何れかに記載の伸縮式足場板において、ロック機構Ｒの回動操作片３１は後端部に押動操作部３６を有し、この押動操作部３６の一端部３６ａを押動することにより、回動操作片３１が正方向に回動してロック片３０をロック位置に前進させ、押動操作部３６の他端部３６ｂを押動することにより、回動操作片３１が逆方向に回動して、連動アーム片３２を介してロック片３０をロック解除位置に後退させるようになっていることを特徴とする。
【発明の効果】
【０００９】
上記解決手段による発明の効果を、後述する実施形態の参照符号を付して説明すると、請求項１に係る発明の伸縮式足場板によれば、ロック機構Ｒが、両足場板本体２，３の対向する２つの足場板部材４，６の一方の足場板部材６に足場板長さ方向一定ピッチで設けられる係合用凹部である孔部ａと、他方の足場板部材４に設けられるロック片３０、回動操作片３１及び連動アーム片３２と、からなるもので、部品点数が少なく、構造が簡単であるから、足場板１の製作コストを安くできると共に、故障が少なく、使用寿命を伸ばすことができる。そしてまた、ロック機構Ｒの使用にあたっては、回動操作片３１の押動操作部３６の端部３６ａ，３６ｂを押して回動操作片３１を正逆回動するだけで、ロック及びそのロックの解除を行えるから、操作が非常に簡単となる。
【００１０】
請求項２に係る発明によれば、ロック機構Ｒのロック片３０、回動操作片３１、連動アーム片３２及びストッパー３４を、足場板部材４の所要個所に装着されるロックボックス２９に取り付けることによって、ユニットにできるから、足場板部材４に対する取付け及び取外しが容易となる。
【００１１】
請求項３に係る発明によれば、ロック機構Ｒのストッパー３４は、回動操作片３１に設けられた圧縮バネ３８及びこのバネ３８の先端部に取り付けられてロックボックス２９の側壁面２９ａに押し付けられる球体４０と、ロックボックス２９の側壁面２９ａの、前記ロック位置及びロック解除位置に対応する位置に夫々設けられて、球体４０が係脱自在な凹窪部４１，４２とからなるものとすることにより、ストッパー３４の構造が簡単で、コンパクトとなって、製作が容易となる。
【００１２】
請求項４に係る発明のように、ロック機構Ｒが介装される両足場板部材４，６の一方に設けられる係合用凹部が、この一方の足場板部材６にその長さ方向に一定ピッチで形成した孔部ａからなるものとすれば、足場板部材の重量が軽くなって、足場板の軽量化を図ることができる。
【００１３】
請求項５に係る発明のように、回動操作片３１の後端部に押動操作部３６を形成して、この押動操作部３６の端部３６ａ，３６ｂを押すことによって、回動操作片３１を正逆回動するようにすれば、回動操作片３１の回動操作が簡単容易となる。
【発明を実施するための最良の形態】
【００１４】
以下に本発明の好適な実施形態を図面に基づいて説明すると、図１の(a) は本発明に係る伸縮式足場板１の全体概略斜視図、(b) は(a) の矢印Ｘにて示す部分の拡大図であり、図２は図１の(b) のＹ−Ｙ線拡大断面図である。この伸縮式足場板１は、足場板長さ方向に伸縮自在に組み合わされた一対の足場板本体２，３からなり、両足場板本体２，３は、図１の(b) 及び図２から分かるように、足場板幅方向に一定間隔をおいて互いに平行に配置された、夫々５本ずつの合計１０本の足場板部材４，５，６，７，８からなるもので、一方の足場板本体２の足場板部材４，５，５，５，５が他方の足場板本体３の足場板部材６，７，７，７，８相互間に足場板長さ方向に相対移動自在に配置されている。
【００１５】
一方の足場板本体２の足場板部材４，５，５，５，５の足場板長さ方向一端部及び他方の足場板本体３の足場板部材６，７，７，７，８の足場板長さ方向一端部は、夫々、バンドプレート９，１０によって相互に連結され、また一方の足場板本体２の足場板部材４，５，５，５，５の足場板長さ方向他端部及び他方の足場板本体３の足場板部材６，７，７，７，８の足場板長さ方向他端部は、夫々、全ての足場板部材４，５，６，７，８に亘るように外嵌されたバンドプレート１１，１２によって相互に連結されている。
【００１６】
図２は一方の足場板本体２の足場板部材４，５，５，５，５の他端部側が一方のバンドプレート１１によって相互連結された部分の断面構造を示したもので、この一方のバンドプレート１１は、一方の足場板本体２の足場板部材４，５，５，５，５の夫々他端部にビス１３止め（あるいはリベット止め）され、他方のバンドプレート１２は、図示は省略するが、他方の足場板本体３の足場板部材６，７，７，７，８の夫々他端部にビス１３止め（あるいはリベット止め）され、それによって両足場板本体２，３は、足場板長さ方向に相対移動自在で伸縮自在に連結されている。
【００１７】
また、図１及び図２に示すように、両足場板本体２，３の足場板長さ方向両端部には、夫々棒状体からなる伸縮操作用ハンドル２５，２６が設けられている。即ち、図１の(b)
は足場板本体３の一端部に設けられたハンドル２６を示しており、このハンドル２６は、足場板本体３を構成する足場板部材６，７，７，７，８の足場板幅方向両端部の足場板部材６，８の先端部間にブラケット２７，２７を介して横架されている。このように足場板本体３の足場板幅方向両端部の足場板部材６，８の先端部間にハンドル２６が横架されるため、その中間の足場板部材７，７，７の夫々先端部が切除され、しかしてこれら先端部が切除された足場板部材７，７，７とその両端側の足場板部材６，８とがバンドプレート１０によって相互に連結されている。足場板本体２の一端部に設けられたハンドル２５の取付構造も上記ハンドル２６と同様である。
【００１８】
上記一方の足場板本体２における足場板幅方向一端側の足場板部材４と、この足場板部材６に対向する、他方の足場板本体３の足場板幅方向一端側の足場板部材６との間には、両足場板本体２，３の相対移動を阻止して所要の伸縮位置にロックするためのロック機構Ｒが介装されている。
【００１９】
上記一対の足場板本体２，３を構成する全ての足場板部材４，５，６，７，８は、夫々アルミ押出型材からなり、これら全ての足場板部材４，５，６，７，８のうち足場板幅方向に関して最も外側にある２つの足場板部材４，８は、図２に示すように、夫々リップ付き溝型材からなるもので、その溝型材の開口部Ｏ側を外に向けて配置することによって、このリップ付き溝型材からなる足場板部材４，８のリップ部２３を手掛り部として利用することができる。
【００２０】
この足場板部材４，８は、図３の(a) に示すように、対向する側壁部２１，２１と両側壁部２１，２１をつなぐ底壁部２２と、各側壁部２１の先端部から内向きに略Ｌ字状に突設されたリップ部２３とによって溝形に形成されると共に、底壁部２２にはその幅方向中央部側に補強用凸条部２４が形成されており、そしてロック機構Ｒが介装される足場板部材４には補強用凸条部２４の所要個所に図示のようなロックボックス取付用開口部２８が設けられる。
【００２１】
また、図２から分かるように、一方の足場板本体２の一部を構成する足場板部材５と、他方の足場板本体３の一部を構成する足場板部材７とは同じ断面形状のアルミ押出型材、即ち断面が縦長矩形状の角筒状型材によって形成されたものである。
【００２２】
図３の(b) は、ロック機構Ｒが介装される足場板部材４と対向する足場板部材６、即ち一方の足場板本体２における足場板幅方向一端側の足場板部材４と対向する他方の足場板本体３の足場板幅方向一端側の足場板部材６を示す斜視図で、この足場板部材６は、両側一対の筒状部６ａ，６ａと両筒状部６ａ，６ａをつなぐ連結壁部６ｂとからなるもので、この連結壁部６ｂに係合用凹部としての孔部ａが足場板部材６の長さ方向に一定ピッチで多数形成されている。
【００２３】
次にロック機構Ｒについて説明すると、このロック機構Ｒが介装される両足場板部材４，６のうちの一方の足場板部材６にはその連結壁部６ｂに、上記のように係合用凹部としての孔部ａが足場板部材６の長さ方向に一定ピッチで多数形成され（図３の(b) 参照）、他方の足場板部材４にはその所要個所に、図３の(a) に示すようにロックボックス取付用開口部２８が設けられ、この開口部２８にロックボックス２９が嵌め込まれ、このロックボックス２９には、後述するロック片３０、回動操作片３１、連動アーム片３２、ストッパー３４等が取り付けられる。尚、足場板部材４のロックボックス取付用開口部２８に嵌め込まれたロックボックス２９は、ビス３８で固定され、またこのボックス２９には正面側に図４の(a) 及び(b) に示すようにカバー３９が取り付けられる。
【００２４】
ロックボックス２９に取り付けられるロック片３０、回動操作片３１、ストッパー３３等について説明すれば、ロック片３０は、これの先端部に突設された係合突片３３が前記係合用凹部としての孔部ａに係合するロック位置（図５参照）と、その孔部ａから離脱したロック解除位置（図４参照）との間を進退移動するように、ロックボックス２９内に設けてあるガイド４３に支持されている。このロック片３０の一側方には、連動アーム３２を介してロック片３０に連動連結し、枢軸３５周りに正逆回動することにより、このロック片３０をロック位置とロック解除位置とに進退移動させる回動操作片３１が設けられ、そして回動操作片３１とロックボックス２９との間には、この回動操作片３１をロック片３０のロック位置及びロック解除位置に夫々一時的に保持するストッパー３４が介装されている。
【００２５】
この回動操作片３１は後端部に押動操作部３６を有し、この押動操作部３６の一端部３６ａを押動することにより、回動操作片３１が図５の(a) に示すように正方向（例えば時計回りム）に回動してロック片３０をロック位置に前進させ、また押動操作部３６の他端部３６ｂを押動することにより、回動操作片３１が図４の(a) に示すように逆方向（反時計回りム）に回動して、連動アーム片３２を介してロック片３０をロック解除位置に後退させるようになっている。
【００２６】
前記連動アーム片３２は、その一端側凸部３２ａが回動操作片３１の先端側凹部３１ａに係合し、その他端側凸部３２ｂがロック片３０の後端側凹部３０ａに係合すると共に、その他端側凸部３２ｂと押動操作部３６の一端部３６ａとでロック片３０の後端側横部片３０ｂを把持していて、押動操作部３６の一端部３６ａを押動すれば、回動操作片３１が枢軸３５を中心に時計回りに回動しながら、ロック片３０をロック位置に前進させ、そして押動操作部３６の他端部３６ｂを押動すると、回動操作片３１が反時計回りに回動しながら、連動アーム片３２を介してロック片３０をロック解除位置に後退させることになる。
【００２７】
前記ストッパー３４は、図４の(a) 及び(c) に示すように、回動操作片３１にその枢軸３５から一定半径位置に設けてあるバネ挿入孔３７に挿入された圧縮コイルバネ３８及びこの圧縮コイルバネ３８の先端部に取り付けられてロックボックス２９の側壁面２９ａに押し付けられる球体４０と、ロックボックス２９の側壁面２９ａの、前記ロック位置及びロック解除位置に対応する位置に夫々設けられて、球体４０が係脱自在な凹窪部４１，４２と、から構成される。
【００２８】
図４の(a) 及び(c) は球体４０が凹窪部４２に係合して回動操作片３１の回動を阻止し、これによりロック片３０をロック解除位置に保持している状態を示し、また図５の(a)
は球体４０が凹窪部４１に係合して回動操作片３１の回動を阻止し、これによりロック片３０をロック位置に保持している状態を示している。
【００２９】
上記のように構成されるロック機構Ｒを備えた伸縮式足場板１の長さを調整する時は、先ず、図５に示すようにロック片３０がロック位置に保持されている状態から、回動操作片３１の押動操作部３６の一方側の端部３６ｂを押動することにより、回動操作片３１が枢軸３５を中心に反時計回りに回動して、連動アーム片３２を介してロック片３０をロック位置からロック解除位置へ後退させる。この時、回動操作片３１がストッパー３４により固定され、それによってロック片３０はロック解除位置に保持される。
【００３０】
こうしてロック解除位置に保持された状態の足場板１の両足場板本体２，３を相対移動させて、足場板１の長さを適宜に調整する。尚、両足場板本体２，３を相対移動させる時は、各足場板本体２，３の端部に設けてある伸縮操作用ハンドル２５，２６を掴むことによって、伸縮操作が容易となる。しかして、足場板１を所要長さに調整した後、押動操作部３６の反対側の端部３６ａを押動すると、回動操作片３１が枢軸３５を中心に時計回りに回動して、ロック片３０をロック位置に前進移動させる。この時も、ロック片３０は、回動操作片３１がストッパー３４で固定されることによって、ロック位置に保持される。これによって、足場板１は調整した長さに保持固定されることになる。
【００３１】
以上説明したように、この伸縮足場板１においては、ロック機構Ｒが、両足場板本体２，３の対向する２つの足場板部材４，６の一方の足場板部材６に足場板長さ方向一定ピッチで設けられる係合用凹部である孔部ａと、他方の足場板部材４に設けられるロック片３０、回動操作片３１及び連動アーム片３２と、からなるもので、部品点数が少なく、構造が簡単であるから、足場板１の製作コストを安くできると共に、故障が少なく、使用寿命を伸ばすことができる。そしてまた、ロック機構Ｒの使用にあたっては、回動操作片３１の押動操作部３６の端部３６ａ，３６ｂを押して回動操作片３１を正逆回動するだけで、ロック及びそのロックの解除を行えるから、操作が非常に簡単となる。この実施形態では、正逆回動の正方向を時計回り、逆方向を反時計回りとしているが、正方向を反時計回りとし、逆方向を時計回りとしてもよい。
【００３２】
尚、上述の実施形態では、回動操作片３１の後端部に押動操作部３６を形成して、この押動操作部３６の端部３６ａ，３６ｂを押すことによって、回動操作片３１を正逆回動するようにしているが、例えば回動操作片３１の後端部にハンドルを突設し、このハンドルを左右に移動させることによって回動操作片３１を正逆回動するようにしてもよい。但し、この実施形態のように回動操作片３１の後端部に押動操作部３６を設けて、この押動操作部３６の端部３６ａ，３６ｂを押すようにする方が操作は簡単容易である。
【００３３】
また、上述の実施形態では、係合用凹部が一方の足場板部材６にその長さ方向に一定ピッチで形成した孔部ａからなるものであるが、係合用凹部は、このような足場板部材６に直接形成した孔部ａからなるものに限らず、凹部と凸部とを交互に連続して形成したラック部材を足場板部材６に取り付けるたものでもよい。但し、この実施形態のような足場板部材６に直接孔部ａを形成するようにすれば、足場板部材の重量が軽くなって、足場板の軽量化を図ることができる。
【００３４】
また実施形態のように、ロック片３０、回動操作片３１、連動アーム片３２及びストッパー３４をロックボックス２９に取り付けることによって、ユニットにできるから、足場板部材４に対する取付け及び取外しが容易となる。
【図面の簡単な説明】
【００３５】
【図１】(a) は本発明に係る伸縮式足場板の全体概略斜視図、(b) は(a) の矢印Ｘにて示す部分の拡大図である。
【図２】図１の(b) のＹ−Ｙ線拡大断面図である。
【図３】(a) はロック機構が介装される足場板部材の一方を示す斜視図、(b) は他方の足場板部材を示す斜視図である。
【図４】(a) はロック解除位置にあるロック機構の平面図、(b) はカバーを取り付け状態のロック機構の正面図、(c) は(a) のY −Ｙ線断面図である。
【図５】(a) はロック位置にあるロック機構の平面図、(b) は縦断面図である。
【符号の説明】
【００３６】
１            伸縮式足場板
２，３        足場板本体
４            足場板部材
５            足場板部材
６            足場板部材
７            足場板部材
８            足場板部材
Ｒ            ロック機構
２９          ロックボックス
３０          ロック片
３１          回動操作片
３２          連動アーム片
３３          ロック片の先端部の係合突片
３４          ストッパー
３６          回動操作片の押動操作部
【図１】
2007247263.tif 000003
【図２】
2007247263.tif 000004
【図３】
2007247263.tif 000005
【図４】
2007247263.tif 000006
【図５】
2007247263.tif 000007